(57)【要約】【課題】通信用チャネル（ＳＣ）を使用せずに、今まで未使用であった同期バースト信号（ＳＢＯ）のパラメータ情報チャネル（ＰＩＣＨ）を利用して、小容量データであるＧＰＳ位置情報の通信を実現し、信号フレームの有効利用及び通信用チャネル（ＳＣ）によるコミュニケーション通信能力の向上を実現する。【解決手段】移動局１（４２、４３）の通信可能エリア４１を無線基地局４０により形成するデジタル無線通信システムにおいて、移動局１は、ＧＰＳ位置情報をＧＰＳ部３により取得して変換部４により所定の形式に変換し、このＧＰＳ位置情報をフレーム生成部５により同期バースト信号（ＳＢＯ）のパラメータ情報チャネル（ＰＩＣＨ）の未定義ビットに載せ、通信部２により無線送信する。【選択図】  図２
2005051355.tif 000002
【特許請求の範囲】
【請求項１】
移動局の通信可能エリアを無線基地局により形成するデジタル無線通信システムにおいて、
移動局は、ＧＰＳ位置情報を局間同期のための同期バースト信号フォーマット中のパラメータ情報チャネルを用いて送信する機能を有することを特徴とするデジタル無線通信システム。
【発明の詳細な説明】
【０００１】
【発明の属する技術分野】
本発明は、無線通信の信号フォーマットを有効に利用してＧＰＳ（Ｇｌｏｂａｌ  Ｐｏｓｉｔｉｏｎｉｎｇ  Ｓｙｓｔｅｍ）位置情報を送信するデジタル無線通信システムに関し、特に、ＳＣＰＣ方式デジタル無線通信システムに適用して好適な技術に関する。
【０００２】
【従来の技術】
デジタル無線通信システムの一例としてＳＣＰＣ（Ｓｉｎｇｌｅ  Ｃｈａｎｎｅｌ  Ｐｅｒ  Ｃａｒｒｉｅｒ）方式のデジタル無線通信システムが知られており、ＳＣＰＣ方式では社団法人電波産業会の標準規格Ｔ−６１（ＡＲＩＢ  ＳＴＤ−Ｔ６１）に定められた信号フォーマットにて通信を行う。
【０００３】
図４には、ＳＣＰＣ方式デジタル無線通信システムの概要を示してある。
図示のシステムはシステム全体の最小構成であり、実際には複数の基地局無線装置４０がバックボーンネットワークで接続され、各基地局無線装置４０により移動局を収容する無線通信可能エリア（基地エリア）４１を形成している。
このＳＣＰＣ方式デジタル無線通信システムの提供サービスは２周波半複信方式のプレストーク通信による音声通信サービスを基本としているが、音声通信だけでなくショートメッセージ通信や位置情報通信などのデータ通信にも対応が可能である。
【０００４】
２周波半複信方式とは、基地局無線装置４０との無線通信に２つの周波数ｆ１とｆ２が割り当てられており、基地局無線装置４０から通信可能エリア４１内の移動局４２、４３への下り通信周波数ｆ１とこれら移動局４２、４３から基地局無線装置４０への上り通信周波数ｆ２とが異なり、基地局無線装置４０は送信中の受信モニタが可能な複信方式で通信し、移動局４２、４３は単信方式で通信を行う方式である。
すなわち、通信可能エリア４１内では、下り通信周波数ｆ１と上り通信周波数ｆ２とを使用して基地局無線装置４０を経由した移動局間の１：１又は１：Ｎ（グループ）の無線通信が可能である。なお、通信可能エリア４１外の移動局４４と通信可能エリア４１内の移動局との他の通信周波数ｆ３による直接通信も可能となっている。
【０００５】
無線送信される情報は、フレームと呼ばれる所定のデータフォーマットを単位として構成され、上記標準規格では、図５に示す同期バースト（ＳＢ０）のフレームと、図６に示す通信チャネル（ＳＣ）のフレームとの２つのフレームフォーマットが規定されている。
同期バースト（ＳＢ０）は送信開始時に通信チャネル（ＳＣ）に先立って局間の同期をとるために送信されるバースト信号であり、通信チャネル（ＳＣ）はユーザが通信のために使用する無線チャネルである。
【０００６】
１つのフレームは３８４ビットのデータで構成され、図５及び図６中にそれぞれ示す数字は各チャネルのビット数である。
また、図５及び図６中に示す各チャネルは次の通りである。
ＬＰ＋Ｒ：リニアライザ用プリアンブル及びバースト過渡応答用ガードタイム。Ｐａ：プリアンブル。
ＲＩＣＨ：無線情報チャネル。
ＳＷ：同期ワード。
Ｐｂ：プリアンブル。
ＰＩＣＨ：パラメータ情報チャネル。
Ｇ：ガードタイム。
ＴＣＨ：トラヒックチャネル。
【０００７】
ショートメッセージ等の非音声データは、信号フォーマットに従って、音声の通信と同様に通信用チャネル（ＳＣ）のトラヒックチャネル（ＴＣＨ）にデータをのせて送信している。
なお、従来においては、同期バースト（ＳＢ０）のパラメータ情報チャネル（ＰＩＣＨ）は、図５に示すように、バースト識別ビット（Ｂ）のみ定義されており、他のビットは未定義で使用されていなかった。
【０００８】
【発明が解決しようとする課題】
ＳＣＰＣ方式デジタル無線通信システムは、１つの無線キャリアに１つの無線チャネルが対応して通信を行う方式であり、このため、同一チャネルに合わせておけば、発呼された送信音声を受信することができる。
送信される音声データは通信チャネル（ＳＣ）の信号フォーマットのトラヒックチャネル（ＴＣＨ）に割り当てられる。これと同様に、非音声データのデータ通信に対応した場合、送信されるデータも同じ通信用チャネル（ＳＣ）のトラヒックチャネル（ＴＣＨ）に割り当てられ、このとき、送信されるデータ容量には関係なくトラヒックチャネル（ＴＣＨ）を占有することになる。
【０００９】
このように、従来のＳＣＰＣ方式デジタル無線通信システムでは、音声データと非音声データとの通信で通信用チャネル（ＳＣ）のトラヒックチャネル（ＴＣＨ）をそれぞれ占有するようになっているため、ＧＰＳ位置情報を通信するためには、非音声データと同様に、音声通信とは別にトラヒックチャネル（ＴＣＨ）を割り当てなければならなかった。
【００１０】
しかしながら、ＧＰＳ位置情報は北緯や東経といった単純な位置情報を含む程度であるので、ショートメッセージ等の他の非音声データに較べてかなり小容量のデータであるにもかかわらず、トラヒックチャネル（ＴＣＨ）を占有してしまうのは非効率的な通信処理となってしまうという課題がある。
また、ユーザ間のコミュニケーションを図る情報通信手段にとっては、音声データ又はショートメッセージ等の非音声データによる通信をいつでもできることが重要であるが、ＧＰＳ位置情報のためにトラヒックチャネル（ＴＣＨ）を占有してしまうことにより、ユーザ間のコミュニケーションを阻害してしまうという課題があった。
【００１１】
本発明は、上記従来の事情に鑑みなされたもので、無線通信の信号フォーマットを有効に利用して、コミュニケーション通信を阻害することなく、ＧＰＳ位置情報を送信することができるデジタル無線通信システムを提供することを目的とする。
なお、本発明の更なる目的は以下に説明するところにより明らかである。
【００１２】
【課題を解決するための手段】
本発明は移動局の通信可能エリアを無線基地局により形成するデジタル無線通信システムであり、移動局はＧＰＳ位置情報を局間同期のための同期バースト信号フォーマットのパラメータ情報チャネルを用いて送信する機能を有している。
すなわち、ＳＣＰＣ方式を例にとって前記したように、同期バースト（ＳＢ０）のパラメータ情報チャネル（ＰＩＣＨ）の未定義で使用されていなかったビットをＧＰＳ位置情報の通信に有効利用する。したがって、ＧＰＳ位置情報の通信に通信用チャネル（ＳＣ）のトラヒックチャネル（ＴＣＨ）を割り当てる必要がなくなり、音声データや他の非音声データによるコミュニケーション通信の効率を高めることができる。
【００１３】
ここで、本発明は、ＳＣＰＣ方式以外のデジタル無線通信システムにも勿論適用することができる。
また、ＧＰＳ位置情報には各移動局を識別する識別子（ＩＤ）も含まれるが、各移動局を他の方法で識別管理するシステム構成とする場合には、ＧＰＳ位置情報には北緯や東経といった位置データのみが含まれる。
【００１４】
【発明の実施の形態】
本発明を実施例に基づいて具体的に説明する。
なお、本例は、図４に示したＳＣＰＣ方式のデジタル無線通信システムに本発明を適用したものであり、以下の説明では図４〜図６を適宜参照する。
【００１５】
図１には、移動局１の本発明に係る主要な構成を示してあり、この移動局１はＳＣＰＣ方式による従来と同様な無線通信処理を行う構成に加えて、ＧＰＳ位置情報の通信を効率的に行うための構成を有している。
すなわち、移動局１は、無線通信処理を行う通信部２、通信部２を介してＧＰＳ衛星から受信する測位データに基づいて自機のＧＰＳ位置情報を取得するＧＰＳ部３、取得したＧＰＳ位置情報を本例の処理に適合するように変換する変換部４、変換されたＧＰＳ位置情報をパラメータ情報チャネル（ＰＩＣＨ）に載せた同期バースト（ＳＢ０）を生成するフレーム生成部５を有している。
【００１６】
なお、本例の移動局１は、図４において移動局４２、４３に相当し、基地局エリア４１内で基地局無線装置４０との無線通信及び基地局無線装置４０を経由する他の移動局との無線通信を行う。
この無線通信には、前記のように必要に応じて通信チャネル（ＳＣ）と同期バースト（ＳＢ０）との２種類の信号フォーマットを用い、通信チャネル（ＳＣ）については図６に示したものと同じであるが、同期バースト（ＳＢ０）についてはフレーム生成部５による処理で図２に示すような使用態様となる。
【００１７】
すなわち、同期バースト（ＳＢ０）の信号フレームは、図２（ａ）に示すように、リニアライザ用プリアンブルおよびバースト過渡応答用ガードタイムＬＰ＋Ｒ、プリアンブルＰａ、無線情報チャネルＲＩＣＨ、同期ワードＳＷ、プリアンブルＰｂ、パラメータ情報チャネルＰＩＣＨ、ガードタイムＧが従来（図５）と同様なビット容量で設定されているが、このパラメータ情報チャネルＰＩＣＨのバースト識別ビット（Ｂ）以外の残余の未定義ビットにＧＰＳ位置情報（同図では、小容量データ）を載せたフレーム構成としている。なお、図２（ｃ）にはバースト識別ビット（Ｂ）の定義構成を示す。
【００１８】
より具体的に説明すると、小容量データであるＧＰＳ位置情報を用いた移動局１の位置管理を行う場合、図２（ｂ）に示すように、移動局（デジタル移動無線装置）１を一意に識別できる個識別番号（ＩＤ）とＧＰＳ位置情報の緯度情報（度）（分）（秒）及び経度情報（度）（分）（秒）をパラメータ情報チャネルＰＩＣＨに所定のビット数で定義する。
なお、ＧＰＳ位置情報は予め設定した時間周期でＧＰＳ部３により自動的に取得され、パラメータ情報チャネルＰＩＣＨに載せられて無線送信される。
【００１９】
まず、個識別番号（ＩＤ）をバースト識別ビット（Ｂ）に続けて７ビット割り当てると１２８台までの識別番号を設定できる。すなわち、或る基地エリア４１において、１２８台までの移動局１を識別して位置管理をすることができる。なお、この移動局１の位置管理は、基地局無線装置４０を経由してＧＰＳ位置情報を受信する位置管理センター（図外）や他の移動局によって、各移動局をそのＩＤと共に位置情報を管理することにより行われる。
【００２０】
次に、個識別番号（ＩＤ）に続いて、ＧＰＳ位置情報の緯度情報（度）、（分）、（秒）のそれぞれを４ビット、６ビット、６ビットで割り当て、更に続いて、経度情報の（度）、（分）、（秒）のそれぞれを４ビット、６ビット、６ビットで割り当てる。
【００２１】
ここで、緯度情報の（度）は日本国内では３０度から４５度くらいのせいぜい１５度の範囲であるため、“００００”＝２９度〜“１１１１”＝４４度とする。また、緯度情報の（分）と（秒）の表示は“０〜５９”であるので、６ビットで表現可能であり、それぞれ１ビット＝１分、１秒とする。
また、経度情報も同様に、（度）は日本国内では１３０度から１４５度くらいのせいぜい１５度の範囲であるため“００００”＝１２８度〜“１１１１”＝１４３度とする。また、経度情報の（分）と（秒）の表示は“０〜５９”であるので、６ビットで表現可能であり、それぞれ１ビット＝１分、１秒とする。
【００２２】
一例として、ＧＰＳ位置情報を、ＩＤ＝２０、緯度＝北緯３５度４２分４７秒、経度＝東経１３９度３０分１６秒とした場合は、変換部４により図３に示すようなビット列データに変換され、これらビットデータがフレーム生成部５によりパラメータ情報チャネルＰＩＣＨに載せられて、通信部２から無線送信される。したがって、従来未使用であったパラメータ情報チャネル（ＰＩＣＨ）の未定義ビットを利用するため、信号フレームの有効利用を実現しつつ、通信チャネルフレーム（ＳＣ）による音声や非音声データによるコミュニケーションの妨げとならずに、ＧＰＳ位置情報の無線送信を行うことができる。
【００２３】
【発明の効果】
以上説明したように、本発明のデジタル無線通信システムによると、通信用チャネル（ＳＣ）を使用せずに、今まで未使用であった同期バースト信号（ＳＢＯ）のパラメータ情報チャネル（ＰＩＣＨ）を利用して、小容量データであるＧＰＳ位置情報を通信することができ、信号フレームの有効利用が実現されるとともに、通信用チャネル（ＳＣ）によるコミュニケーション通信能力を高めることができる。
【図面の簡単な説明】
【図１】本発明の一実施例に係る移動局の主要構成を示す図である。
【図２】本発明の一実施例に係る同期バースト信号（ＳＢＯ）フレームを説明する図である。
【図３】本発明の一具体例に係る位置情報変換を説明する図である。
【図４】ＳＣＰＣ方式デジタル無線通信システムの一例を示す図である。
【図５】従来の同期バースト信号（ＳＢＯ）フレームを説明する図である。
【図６】通信用チャネル（ＳＣ）フレームを説明する図である。
【符号の説明】
１：移動局、  ２：通信部、
３：ＧＰＳ部、  ４：変換部、
５：フレーム生成部、  ４０：基地局、
４１：通信可能エリア（基地エリア）、
４２、４３、  ４４：移動局、
ＳＢＯ：同期バースト信号フレーム、
ＰＩＣＨ：パラメータ情報チャネル、
ＳＣ：通信用チャネルフレーム、
【図１】
2005051355.tif 000003
【図２】
2005051355.tif 000004
【図３】
2005051355.tif 000005
【図４】
2005051355.tif 000006
【図５】
2005051355.tif 000007
【図６】
2005051355.tif 000008